(57)【特許請求の範囲】
【請求項１】
一方の面を粘着面とした所定幅の帯状粘着テープを粘着面が外側に露出するようにして多重に巻回してなる粘着ロールと、
上記粘着ロールをその中心軸周りに回転可能に支持する支持部と、
上記支持部に連結された操作シャフトと、を備えた粘着式清掃具であって、
上記操作シャフトは、上記支持部の一端から上記粘着ロールの半径方向に延出し、上記中心軸に対して上記粘着ロールの最大径より大の距離離間する位置まで延びる第１シャフト部と、この第１シャフト部につながって上記中心軸と平行に延出し、上記粘着ロールの軸方向において当該粘着ロールの両端の間の位置まで延びる第２シャフト部と、この第２シャフト部につながって上記第２シャフト部に対して直角である方向に延び、グリップ部を有する第３シャフト部と、を備えており、
上記粘着ロールが最大径をとる第１状態から最小径をとる第２状態までのいずれの状態においても、上記粘着ロールの外周面と、上記第１シャフト部から上記第３シャフト部までの少なくとも一部とが床面に接触することにより、上記第３シャフト部が上記床面に対して自立するように上方に延びていることを特徴とする、粘着式清掃具。
【請求項２】
上記粘着ロールの軸方向に見て、上記第１シャフト部と上記第３シャフト部とがなす角は鋭角である、請求項１に記載の粘着式清掃具。
【請求項３】
上記粘着ロールが上記第１状態から上記第２状態までのいずれの状態にあっても、上記粘着ロールの軸方向に見て、清掃具全体の重心から上記粘着ロールの外周面と上記操作シャフトにおける上記床面への接触部とを通る接線に下ろした垂線の足は、上記接触部と上記粘着ロールとの間に位置する、請求項１または２に記載の粘着式清掃具。
【発明の詳細な説明】
【技術分野】
【０００１】
本発明は、粘着ロールを用いて構成された粘着式清掃具に関する。
【背景技術】
【０００２】
カーペットや絨毯、あるいは衣服などに付着した、毛髪や埃、糸屑などのゴミを除去するための清掃具として、粘着ロールを用いて構成された粘着式清掃具が知られている。このような粘着式清掃具において、粘着ロールは、たとえば、円筒状の芯材に、一方の面を粘着面とした所定幅の帯状粘着テープを粘着面が外側に露出するように多重に巻回されたものである。粘着式清掃具は、一般的には、粘着ロールを回転可能に支持する支持部と、この支持部に連結され、先端に手によって把持されるグリップ部を有するシャフトとを備えている。清掃具の使用時には、粘着ロールの側面に露出する粘着面を床面などの清掃対象物に当接させたまま当該粘着ロールを転がす。これにより、清掃対象物に付着したゴミを、粘着ロール表面の粘着面に付着させて除去することができる。ゴミの付着により粘着ロール表面の粘着力が低下しても、当該表面の粘着シートを順次剥離することにより、粘着力を回復させることができる。
【０００３】
従来の粘着式清掃具においては、不使用時に粘着ロールを収容するためのカバー体を備えたものも知られている（たとえば特許文献１を参照）。特許文献１に開示された粘着式清掃具では、同文献の図１〜図３にも表れているように、操作シャフト（支持シャフト７）は、一端から他端にかけて所定形状に折り曲げられており、当該他端にはグリップ部（６）が設けられている。シャフトは、その全体が粘着ロールの中心軸（軸支部７１）を含む平面に沿っている。
【０００４】
カバー体（保管用カバー３）は、半円筒形を有する一対のカバーメンバ（３２，３３）がヒンジによって連結されて開閉可能とされており、カバー体を、粘着ロールを内部に収容して閉じると、操作シャフトが一対のカバーメンバによって挟持される。そして、特許文献１の図１によく表れているように、粘着式清掃具の不使用時には、カバー体を介して、グリップ部が上方に延びた状態にて床面上に自立させることができる。
【０００５】
しかしながら、上記従来の粘着式清掃具では、カバー体を具備するために、部品点数が多く、また、カバー体に操作シャフトを支持させるための構造が複雑となるので、製造コストが高くなる傾向にあった。また、操作シャフトやグリップ部の長さが長くなると、自立させたときの安定が悪くなり、不用意に転倒するおそれがあった。
【先行技術文献】
【特許文献】
【０００６】
【特許文献１】特開２００３−２６５４０１号公報
【発明の概要】
【発明が解決しようとする課題】
【０００７】
本発明は、このような事情のもとで考え出されたものであって、製造コストの削減を図りつつ、安定して自立可能な粘着式清掃具を提供することを課題とする。
【課題を解決するための手段】
【０００８】
上記の課題を解決するため、本発明では、次の技術的手段を講じている。
【０００９】
本発明によって提供される粘着式清掃具は、一方の面を粘着面とした所定幅の帯状粘着テープを粘着面が外側に露出するようにして多重に巻回してなる粘着ロールと、上記粘着ロールをその中心軸周りに回転可能に支持する支持部と、上記支持部に連結された操作シャフトと、を備えた粘着式清掃具であって、上記操作シャフトは、上記支持部の一端から上記粘着ロールの半径方向に延出し、上記中心軸に対して上記粘着ロールの最大径より大の距離離間する位置まで延びる第１シャフト部と、この第１シャフト部につながって上記中心軸と平行に延出し、上記粘着ロールの軸方向において当該粘着ロールの両端の間の位置まで延びる第２シャフト部と、この第２シャフト部につながって上記第２シャフト部に対して直角である方向に延び、グリップ部を有する第３シャフト部と、を備えており、
上記粘着ロールが最大径をとる第１状態から最小径をとる第２状態までのいずれの状態においても、上記粘着ロールの外周面と、上記第１シャフト部から上記第３シャフト部までの少なくとも一部とが床面に接触することにより、上記第３シャフト部が上記床面に対して自立するように上方に延びていることを特徴としている。
【００１０】
このような構成の粘着式清掃具によれば、粘着ロールの外周面と操作シャフトの一部とが床面に接触した状態にて、第３シャフト部およびグリップ部が上方に延びた自立姿勢をとらせることができる。このとき、操作シャフトの床面との接触部は、粘着ロールの外周面から所定距離隔てて位置しており、粘着ロールと接触部とが離間した状態でこれらが床面に接触する。したがって、第３シャフト部やグリップ部が長くなる場合においても、粘着ロールと接触部との距離を大きくすることにより、第３シャフト部およびグリップ部の自立姿勢を安定させることができる。
【００１１】
そして、本発明に係る粘着式清掃具は、粘着ロールを収容するためのカバー体を具備しないので、当該カバー体を具備するものと比べて部品点数が少なく、不使用時にカバー体を嵌める必要がない。また、操作シャフトを一連につながる第１ないし第３シャフト部によって構成することにより、構造が簡素にされている。したがって、上記構成の粘着式清掃具によれば、不使用時にカバー体を嵌めるなどの煩わしさをなくし、製造コストの削減を図ることができる。
【００１２】
好ましい実施の形態においては、上記粘着ロールの軸方向に見て、上記第１シャフト部と上記第３シャフト部とがなす角は鋭角である。
【００１３】
好ましい実施の形態においては、上記粘着ロールが上記第１状態から上記第２状態までのいずれの状態にあっても、上記粘着ロールの軸方向に見て、清掃具全体の重心から上記粘着ロールの外周面と上記操作シャフトにおける上記床面への接触部とを通る接線に下ろした垂線の足は、上記接触部と上記粘着ロールとの間に位置する。
【００１４】
本発明のその他の特徴および利点は、添付図面を参照して以下に行う詳細な説明によって、より明らかとなろう。
【図面の簡単な説明】
【００１５】
【図１】本発明に係る粘着式清掃具の一例を示す全体斜視図である。
【図２】図１に示す粘着式清掃具の正面図である。
【図３】図１に示す粘着式清掃具の左側面図である。
【図４】図３のＩＶ−ＩＶ線に沿う拡大断面図である。
【図５】粘着ロールが最小径をとるときの図３と同様の図である。
【図６】本発明に係る粘着式清掃具の参考例を示す要部斜視図である。
【図７】本発明に係る粘着式清掃具の参考例を示す図３と同様の図である。
【発明を実施するための形態】
【００１６】
以下、本発明の好ましい実施の形態について、図面を参照して具体的に説明する。
【００１７】
図１〜図５は、本発明に係る粘着式清掃具の一例を示している。本実施形態の粘着式清掃具Ａ１は、粘着ロール１と、支持用筒体２と、操作シャフト３と、グリップ部４とを備えて構成されている。
【００１８】
粘着ロール１は、円筒状の芯材に、一方の面を粘着面とした所定幅の帯状粘着テープを当該粘着面が外側に露出するように多重に巻回されたものである。この多重巻回された粘着シートには、ほぼ１周毎に剥離するための幅方向に沿ったミシン目（図示略）が形成されている。粘着ロール１は、清掃に使用すると表面の粘着面にゴミが付着して粘着力が低下するが、粘着シートを１周分剥離することにより、粘着力を回復させることができる。粘着ロール１の使用に伴って粘着シートを順次剥離すると、粘着ロール１の径寸法は小さくなっていく。すなわち、粘着ロール１は、未使用のときには最大径をとり、使い切る直前時には芯材の外径寸法と同程度の最小径をとる。そして、１つの粘着ロール１を使い切ると、他の未使用品に交換して清掃を継続することができる。図１〜図４における粘着ロール１は、最大径をとる状態（第１状態）を示しており、図５における粘着ロール１は、最小径をとる状態（第２状態）を示している。
【００１９】
支持用筒体２は、粘着ロール１を回転可能に支持するためのものであり、概略円筒状とされている。図４によく表れているように、粘着ロール１は、支持用筒体２が内挿された状態で当該支持用筒体２に支持される。支持用筒体２は、円筒部の内側に形成された支持壁２１を介して、後述する軸部３０によって回転可能に支持されている。かかる構成により、粘着ロール１は、支持用筒体２を介して、軸部３０周り（中心軸Ｏ１周り）に回転可能に支持されている。ここで、支持用筒体２および軸部３０は、本発明でいう支持部を担う。
【００２０】
操作シャフト３は、たとえば直線状に延びる金属棒あるいは金属パイプを所定形状に折り曲げて形成されたものであり、一端から他端にかけて順次つながる、軸部３０および第１ないし第３シャフト部３１，３２，３３を有している。軸部３０は、支持用筒体２を支持する部分であり、直線状に延びている。
【００２１】
第１シャフト部３１は、軸部３０につながり、中心軸Ｏ１に対して粘着ロール１の最大径より大の距離離間する位置まで延びている。第１シャフト部３１は、粘着ロールの半径方向に延出している。
【００２２】
第２シャフト部３２は、第１シャフト部３１につながり、粘着ロール１の軸方向内方に向かって延びている。本実施形態では、第２シャフト部３２は、中心軸Ｏ１と平行に延出しており、粘着ロール１の幅方向の中央まで延びている。
【００２３】
図２に表れているように、第３シャフト部３３は、第２シャフト部３２につながり、正面視において中心軸Ｏ１と交差する方向に延びている。本実施形態では、第３シャフト部３３は、正面視において中心軸Ｏ１と直交している。また、図３に表れているように、側面視において第１シャフト部３１と第３シャフト部３３とがなす角αは、鋭角となっている。
【００２４】
グリップ部４は、たとえば木製の丸棒からなり、本実施形態では、第３シャフト部３３の端部に設けられてこの第３シャフト部３３に沿って比較的に長く延びる縦バー４１と、この縦バー４１の上端に連結された横バー４２とを備えたＴ字状とされている。
【００２５】
上記構成の粘着式清掃具Ａ１は、図２および図３に表れているように、粘着ロール１が最大径をとるとき（第１状態）、粘着ロール１の側面ｓ１と第２シャフト部３２とを対象面としての床面に接地させると、第３シャフト部３３およびグリップ部４が上方に向けて延びた姿勢で自立する。このとき、第２シャフト部３２は床面に線接触しており、第２シャフト部３２は、粘着ロール１の中心軸Ｏ１に対して粘着ロールの最大径より大の距離離間する位置にある。したがって、第３シャフト部３３やグリップ部４の長さが長くされる場合においても、粘着ロール１と第２シャフト部３２（床面への接触部）との距離を大きくとることにより、第３シャフト部３３およびグリップ部４の自立姿勢を安定させることができる。
【００２６】
図２に表れているように、第３シャフト部３３は、正面視において中心軸Ｏ１に直交して上方に延びている。また、図３に表れているように、側面視において、第３シャフト部３３は略直立して上方に延びている。ここで、粘着式清掃具Ａ１の重心Ｇ１から粘着ロール１の側面ｓ１と第２シャフト部３２の床面への接触部ｃ１とを通る接線に下ろした垂線の足ｐ１は、接触部ｃ１と粘着ロール１との間に位置している。重心Ｇ１がかかる位置関係にあることにより、第３シャフト部３３およびグリップ部４は、接触部ｃ１あるいは側面ｓ１を通って紙面に対する垂直軸を中心とした回転モーメントによって転倒することはなく、自立姿勢が安定する。
【００２７】
さらに、粘着式清掃具Ａ１は、粘着ロール１を収容するためのカバー体を具備しないので、当該カバー体を具備するものと比べて部品点数が少なく、不使用時にカバー体を嵌める必要がない。また、操作シャフト３を一連につながる第１ないし第３シャフト部３１，３２，３３によって構成することにより、構造が簡素にされている。したがって、上記構成の粘着式清掃具Ａ１によれば、不使用時にカバー体を嵌めるなどの煩わしさをなくし、製造コストの削減を図ることができる。
【００２８】
図５は、粘着ロール１が最小径をとるときの側面図である。同図に表れているように、粘着ロール１が最小径をとるとき（第２状態）、粘着ロール１の側面ｓ２と第２シャフト部３２とを床面に接地させると、第３シャフト部３３およびグリップ部４が上方に向けて延びた姿勢で自立する。ここで、第２シャフト部３２は中心軸Ｏ１と平行に延びるため、第２シャフト部３２が床面に線接触する。このようなことから理解されるように、粘着ローラ１が最大径をとる第１状態から最小径をとる第２状態までのいずれの状態においても、第２シャフト部３２が床面に線接触することとなるので、粘着ローラ１における粘着テープの残量にかかわらず第３シャフト部３３およびグリップ部４の自立姿勢を安定させることができる。
【００２９】
また、図５に表れているように、粘着ロール１が最小径をとるときには、粘着ロール１が最大径をとるとき（図３参照）と比べて、第３シャフト部３３の床面に対する傾きが変化する。本実施形態では、粘着ロール１が最小径をとるときであっても、側面視において、粘着式清掃具Ａ１の重心Ｇ２から粘着ロール１の側面ｓ２と第２シャフト部３２の床面への接触部ｃ２とを通る接線に下ろした垂線の足ｐ２は、接触部ｃ２と粘着ロール１との間に位置している。重心Ｇ２がかかる位置関係にあることにより、上記した粘着ロール１が最大径をとるときと同様に、第３シャフト部３３およびグリップ部４の自立姿勢が安定する。そして、図３および図５を対比すると理解されるように、粘着ロール１が最大径をとるとき（第１状態）から最小径をとるとき（第２状態）までのいずれの状態においても、粘着式清掃具Ａ１の重心Ｇから上記した接線に下ろした垂線の足ｐは、接触部ｃと粘着ロール１との間に位置することとなる。このことは、第１シャフト部３１と第３シャフト部３３とがなす角αが適切な鋭角に設定されていること等に起因しており、第３シャフト部３３およびグリップ部４の自立姿勢を安定させるうえで好ましい。
【００３０】
図６および図７は、本発明に係る粘着式清掃具の参考例を示している。図６に示した粘着式清掃具Ａ２，Ａ３，Ａ４は、いずれも操作シャフト３の構成が上記した粘着式清掃具Ａ１と異なっている。
【００３１】
図６（ａ）に表された粘着式清掃具Ａ２は、操作シャフト３の第３シャフト部３３が第２シャフト部３２よりも下方に突き抜けた構成とされており、第３シャフト部３３の下端が床面に接地した状態で第３シャフト部３３およびグリップ部４が自立している。このとき、第３シャフト部３３は床面に概略点接触している。本実施形態では、第２シャフト部３２と第３シャフト部３３は、たとえば溶接により接合される。なお、第２および第３シャフト部３２，３３間をＵ字状に折り曲げて概略点接触させる構成としてもよい。
【００３２】
図６（ｂ）に表された粘着式清掃具Ａ３は、操作シャフト３の第２シャフト部３２が直線状ではなく所定平面内でジグザグに折り曲げられた構成とされており、第２シャフト部３２が床面に接地した状態で第３シャフト部３３およびグリップ部４が自立している。このとき、第２シャフト部３２は床面に対して面的に接触している。
【００３３】
図６（ｃ）に表された粘着式清掃具Ａ４において、操作シャフト３の第２シャフト部３２は、中心軸Ｏ１と平行ではなく第３シャフト部３３に向かうにつれて粘着ロール１から離間するように延びており、第２シャフト部３２が床面に接地した状態で第３シャフト部３３およびグリップ部４が自立している。このとき、第２シャフト部３２は床面に概略線接触している。
【００３４】
図７に表された粘着式清掃具Ａ５は、補助具Ｂを介して、第３シャフト部３３およびグリップ部４が自立するように構成されている。補助具Ｂは、粘着式清掃具Ａ５を自立させる際に粘着ロール１の側面ｓが床面に直接接触するのを避けるために用いられ、床面上に置かれている。粘着式清掃具Ａ５が自立姿勢をとるとき、粘着ロール１の側面ｓは、対象面としての補助具Ｂの上面ｂ１に接触している。その一方、第２シャフト部３２は、対象面としての床面に接触している。ここで、粘着ロール１における対象面（補助具Ｂの上面ｂ１）との接触部位（側面ｓ）と、第２シャフト部３２における対象面（床面）との接触部ｃとは、高さ位置が異なっている。これに伴って、側面視における第１シャフト部３１と第３シャフト部３３とがなす角α’は、図３を参照して上述した粘着式清掃具Ａ１の角αよりも小とされている。
【００３５】
以上、本発明の具体的な実施形態を説明したが、本発明はこれに限定されるものではなく、発明の思想から逸脱しない範囲内で種々な変更が可能である。本発明に係る粘着式清掃具の各部の具体的な形状や材質なども、上記実施形態に限定されるものではない。
【００３６】
上記実施形態においては、粘着ローラを中心軸周りに回転可能に支持するための支持部は、軸部３０とこれに回転可能に支持された支持用筒体２とを備えて構成されていたが、これに限定されるものではない。支持部については、粘着ローラを回転可能に支持するものであれば、たとえば筒体に代えて、板状部材あるいは棒状部材を折り曲げたものなど他の構成を採用することができる。
【００３７】
操作シャフト３やグリップ部４の具体的形状、寸法、あるいは材質なども発明の思想から逸脱しない範囲で適宜変更が可能である。
【符号の説明】
【００３８】
Ａ１，Ａ２，Ａ３，Ａ４，Ａ５    粘着式清掃具
ｃ，ｃ１，ｃ２    接触部
Ｇ，Ｇ１，Ｇ２    （粘着式清掃具の）重心
Ｏ１      中心軸
ｐ，ｐ１，ｐ２    （垂線の）足
ｓ，ｓ１，ｓ２    （粘着ロールの）側面
１        粘着ロール
２        支持用筒体
３        操作シャフト
４        グリップ部
２１      支持壁
３０      軸部
３１      第１シャフト部
３２      第２シャフト部
３３      第３シャフト部
４１      縦バー
４２      横バー
【図１】
0005736155.tif 000002
【図２】
0005736155.tif 000003
【図３】
0005736155.tif 000004
【図４】
0005736155.tif 000005
【図５】
0005736155.tif 000006
【図６】
0005736155.tif 000007
【図７】
0005736155.tif 000008